(57)【要約】【課題】原稿上の画像を読み取った画像データの処理効率を向上する画像読取装置を提供する。【解決手段】原稿からの反射光を受光してアナログ信号を出力する複数の受光素子が原稿の読取幅方向に設けられたラインセンサを備えた画像読取装置は、複数の受光素子からの各信号線を所定数ごとにまとめ、各まとめられた信号線のうち１つの信号線を選択する複数のアナログスイッチ部を有する。そして、画像読取装置は、複数のアナログスイッチ部が選択した各信号線上を伝送するアナログ信号のうち、原稿サイズに対応したアナログ信号を特定する。【選択図】図４
2014160983.tif 000002
【特許請求の範囲】
【請求項１】
原稿からの反射光を受光してアナログ信号を出力する複数の受光素子が前記原稿の読取幅方向に設けられたラインセンサと、
前記複数の受光素子をグループ毎にグループ分けし、各グループからの信号線のうち複数の信号線を選択して接続する複数の選択手段と、
読み取る前記原稿の原稿サイズに基づいて使用する選択手段を決定し、決定した前記選択手段から信号を出力させる制御手段と、を備え、
前記複数の選択手段は、接続される前記複数の信号線の切換えを一律に同方向に切り換える構成を有し、
前記制御手段は、前記選択手段を決定する際に、前記選択手段が単一の信号線を選択することを優先するが、１つの前記選択手段が複数の信号線を選択可能な場合には、他の前記選択手段も複数の信号線を選択可能なように決定する、
ことを特徴とする画像読取装置。
【請求項２】
前記選択手段により選択されて出力されたアナログ信号を更に特定する特定手段と、
前記特定手段により特定されたアナログ信号をデジタル信号に変換する変換手段と、
前記変換手段により変換されたデジタル信号に対して画像処理を行う画像処理手段と、
をさらに備えることを特徴とする請求項１に記載の画像読取装置。
【請求項３】
前記原稿サイズを検出する検出手段、をさらに備え、
前記制御手段は、前記検出手段により検出された前記原稿サイズに基づいて、前記選択手段を決定する、ことを特徴とする請求項１又は２に記載の画像読取装置。
【請求項４】
前記検出手段は、前記ラインセンサの一端もしくは中央を基準として前記原稿のサイズを検出することを特徴とする請求項３に記載の画像読取装置。
【請求項５】
複数のトレイのうち、いずれのトレイに前記原稿が設置されたかを検出するトレイ検出手段をさらに備え、
前記検出手段は、前記トレイ検出手段により検出されたトレイに応じて、前記ラインセンサの一端もしくは中央を基準として前記原稿のサイズを検出する、ことを特徴とする請求項３又は４に記載の画像読取装置。
【請求項６】
原稿からの反射光を受光してアナログ信号を出力する複数の受光素子が前記原稿の読取幅方向に設けられたラインセンサを備える画像読取装置において実行される信号処理方法であって、
前記画像読取装置の制御手段が、前記複数の受光素子をグループ毎にグループ分けし、各グループからの信号線のうち複数の信号線を選択して接続する複数の選択手段から、読み取る前記原稿の原稿サイズに基づいて使用する選択手段を決定し、決定した前記選択手段から信号を出力させる制御工程、を有し、
前記制御工程は、前記選択手段を決定する際に、前記選択手段が単一の信号線を選択することを優先するが、１つの前記選択手段が複数の信号線を選択可能な場合には、他の前記選択手段も複数の信号線を選択可能なように決定する、
ことを特徴とする信号処理方法。
【発明の詳細な説明】
【技術分野】
【０００１】
本発明は、画像を読み取る画像読取装置、および、その画像読取装置における信号処理方法に関する。
【背景技術】
【０００２】
従来、複数のＣＣＤチップを配置したラインセンサによって、原稿上の画像を読み取る画像読取装置が広く知られている。（特許文献１、特許文献２）。
【先行技術文献】
【特許文献】
【０００３】
【特許文献１】特開２００７−１２４０７４号公報
【特許文献２】特開２００８−８５６００号公報
【発明の概要】
【発明が解決しようとする課題】
【０００４】
複数のＣＣＤチップそれぞれから出力された画像データは、原稿上の画像に対応するように並び替えが行われる。従来では、原稿の読取り幅に関係なく、複数のＣＣＤチップからの画像データが全てその並び替えの対象とされていた。例えば、並び替えの処理を行う処理回路等が後段にある場合には、複数のＣＣＤチップからの全ての画像データが、その後段の処理回路に転送されていた。しかしながら、そのことが画像データの転送効率を低下させる原因となってしまう。
【０００５】
本発明の目的は、このような従来の問題点を解決することにある。上記の点に鑑み、原稿上の画像を読み取った画像データの処理効率を向上する画像読取装置、および、その画像読取装置における信号処理方法を提供することを目的とする。
【課題を解決するための手段】
【０００６】
上記課題を解決するため、本発明に係る画像読取装置は、原稿からの反射光を受光してアナログ信号を出力する複数の受光素子が前記原稿の読取幅方向に設けられたラインセンサと、前記複数の受光素子からの各信号線を所定数ごとにまとめ、各まとめられた信号線のうち１つの信号線を選択する複数の選択手段と、前記複数の選択手段が選択した各信号線上を伝送するアナログ信号のうち、原稿サイズに対応したアナログ信号を特定する特定手段とを備えることを特徴とする。
【発明の効果】
【０００７】
本発明によれば、原稿上の画像を読み取った画像データの処理効率を向上することができる。
【図面の簡単な説明】
【０００８】
【図１】画像読取装置の基本構成を示す図である。
【図２】原稿読取部の構成を示す図である。
【図３】いずれのチャンネルを使用するかを示すテーブルである。
【図４】実施形態１における画像データの流れを示す図である。
【図５】図４において原稿が小サイズである場合の画像データの流れを示す図である。
【図６】原稿サイズとチャンネル使用数との対応付けを示すテーブルである。
【図７】画像読取処理における信号処理の手順を示すフローチャートである。
【図８】実施形態２における画像データの流れを示す図である。
【図９】図８において原稿が小サイズである場合の画像データの流れを示す図である。
【図１０】アナログスイッチ部とＡＤ変換部の機能を説明するための図である。
【発明を実施するための形態】
【０００９】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１０】
［画像読取装置の構成］
図１は、本発明に係る実施形態における画像読取装置の基本構成を示す図である。画像読取装置１は、原稿給送部と原稿読取部とを含む。原稿読取部２は、ラインセンサの一例であるコンタクトイメージセンサ（ＣＩＳ）３と、原稿台ガラス４と、読み取りガラス５と、白色板６と、ガイドレール７を含む。コンタクトイメージセンサ３は、不図示の光源であるＬＥＤアレイ、ロッドレンズアレイ及びＣＣＤチップ（本発明にいう受光素子の一例である）を含む。コンタクトイメージセンサ３は、原稿台ガラス４上に載置された原稿に光が照射され、原稿からの反射光がロッドレンズアレイを介してイメージセンサで主走査方向１ライン分の画像を読み取るように構成されている。また、コンタクトイメージセンサ３は、ガイド８とガイドレール７とで支持され、ガイドレール７に沿う副走査方向に原稿と相対的に移動しながら画像を読み取る。
【００１１】
原稿給送部９は、原稿トレイ１０と、原稿搬送部１１と、排紙トレイ１２とを含む。原稿給送部９で画像を読み取る場合には、原稿トレイ１０に原稿がセットされて読取動作が開始されると、コンタクトイメージセンサ３は、読み取りガラス５の下方で静止したまま待機する。原稿給送部９により搬送された原稿は、読み取りガラス５の上を副走査方向に通過しながら、原稿上の画像が読み取られる。その読み取られた原稿は、排紙トレイ１２に積載される。白色板６は、白濃度の基準部材であり、原稿を読み取る前に白色板６をコンタクトイメージセンサ３で読み取り、適切な白レベルに補正（シェーディング補正）する。
【００１２】
［原稿読取部の構成］
図２は、画像読取装置１の原稿読取部２の構成を示す図である。コンタクトイメージセンサ３は、原稿の読取幅方向に配列された複数の受光素子をグループ毎にグループ分けし、ＣＣＤチップ３０１〜３０４から４出力されるように構成されており、ＡＳＩＣ３０５により駆動信号を供給されて動作する。ＣＣＤチップ３０１（ＣＣＤ１）は、マルチプレクサ（ＭＵＸ）等のアナログスイッチ部３０７（本発明にいう選択手段の一例である）にアナログ画像データを出力する。ＣＣＤチップ３０２（ＣＣＤ２）は、アナログスイッチ部３０８にアナログ画像データを出力する。ＣＣＤチップ３０３（ＣＣＤ３）は、アナログスイッチ部３０７及び３０９にアナログ画像データを出力する。ＣＣＤチップ３０４（ＣＣＤ４）は、アナログスイッチ部３０８及び３０９にアナログ画像データを出力する。ここで、アナログスイッチ部３０７の個数はグループ分けしたＣＣＤチップ３０１の個数より少ない。
【００１３】
アナログプロセッサＩＣ３０６は、複数のアナログスイッチ部３０７〜３０９とＡＤ変換部３１１〜３１３（本発明にいう変換手段の一例である）を備え、ＡＳＩＣ３０５により駆動信号をＩ／Ｆ制御部３１０を介して供給されて動作する。ＡＳＩＣ３０５の駆動信号に従って、Ｉ／Ｆ制御部３１０は、図３に示すように、０ｃｈ〜５ｃｈの６チャンネルのうちのいずれかをチャネル数モードに従って設定する。アナログスイッチ部３０７〜３０９のそれぞれは、ＡＳＩＣ３０５からのチャンネル設定に応じて、コンタクトイメージセンサ３から出力された２つのアナログ画像データ（アナログ信号）を選択してＡＤ変換部３１１〜３１３のそれぞれに入力する。そして、ＡＤ変換部３１１〜３１３のそれぞれは、アナログ画像データをデジタル化し、ＡＳＩＣ３０５内の並び替え回路３１４にデジタル画像データ（デジタル信号）を転送する。
【００１４】
並び替え回路３１４は、アナログプロセッサＩＣ３０６で設定されたタイミング（順序）で出力された画像データを１番目のＣＣＤチップ３０１の出力から４番目のＣＣＤチップ３０４の出力までが順序良く１ラインの画像データとなるように並び替える。並び替えられた画像データは、ＡＳＩＣ３０５でシェーディング補正等が行われ、原稿読取部の外部に出力される。ＡＳＩＣ３０５は、バスライン等でＣＰＵ３１５（本発明にいう制御手段の一例である）と接続されており、ＣＰＵ３１５は少なくともコンタクトイメージセンサ３からＡＳＩＣ３０５までの画像データ（画像信号）の送受信に関する電気素子、電気部品の駆動等を制御する。ＣＰＵ３１５には、副走査方向の原稿サイズを検出するサイズ検出センサ３１６、ＲＡＭ３１７等が接続されている。また、主走査方向の原稿サイズの検出は、コンタクトイメージセンサ３によって行われる。
【００１５】
本実施形態で使用しているマルチプレクサ（ＭＵＸ）等のアナログスイッチ部３０７は、同時にサンプリングした２つのチャネルの信号（複数の信号線の選択）を図示しない内部の選択スイッチで可動させて時分割で１つのチャネルの信号をＡＤ変換部３１１へ出力し、１チャネルモード(単一の信号線の選択)では内部の選択スイッチを固定させて入力信号をそのままＡＤ変換部３１１へ出力するためのアナログスイッチである。
【００１６】
マルチプレクサ（ＭＵＸ）等のアナログスイッチ部３０７内部の選択スイッチの切り換えは、選択制御信号により切り替えることができるが、ここでの選択スイッチは、簡単な構成で切り換え制御が容易にできる一律同方向切換え式のマルチプレクサ（ＭＵＸ）としている。例えば、３つのＭＵＸをそれぞれ制御するためには、３本の制御信号線とそれを制御するためにＩ／Ｆ制御部３１０に３つのコントロールレジスタが必要となるが、一律同方向切換え式のマルチプレクサを採用し、１本の制御信号線で行えば、ＭＵＸの切り換えは同一方向の切換えになるものの制御信号線、コントロールレジスタをそれぞれ１つにすることで簡素化・低コスト化を達成することができる。
【００１７】
［実施形態１］
以下、原稿をセットする際のセット基準位置がコンタクトイメージセンサ３の長手方向（主走査方向）の一端側に設定されている場合を説明する。
【００１８】
［原稿がＡ３サイズの場合の処理の例］
図４は、本実施形態における画像データの流れを説明するための図である。図４は、原稿台上の原稿サイズ検出結果により、原稿サイズが原稿突き当て側に該当する第１番目のＣＣＤチップ３０１から第４番目のＣＣＤチップ３０４のセンサ範囲であった場合を示す図である。図４に示す場合には、原稿サイズが例えばＡ３であると検出されたとする。このときＣＣＤチップは４個を使用するのに対し、アナログスイッチ部は３個なので、アナログスイッチ部は複数（２本）の信号線に対応する必要がある。その場合には、例えばＣＰＵ３１５が図６に示すテーブルを参照して、用いるチャンネル数を４であると認識する。そして、アナログプロセッサＩＣ３０６のチャンネル設定は４チャンネルモードに設定される。その場合に、図３においてチャンネル数が４に対応付けられる列が参照され、その結果、入力チャンネル０〜３が特定（ＯＮで図示）される。図４の太線は、入力チャンネル０〜３が特定されたことを示している。
【００１９】
アナログプロセッサＩＣ３０６においては、入力チャンネルは、チャンネル０、２、１、３の順序でＡＤ変換部３１１及び３１２によりＡＤ変換処理される。つまり、アナログプロセッサＩＣ３０６は、ＣＣＤ１、ＣＣＤ２、ＣＣＤ３、ＣＣＤ４の順序でデジタル画像データを出力する。出力されたデジタル画像データは、ＡＳＩＣ３０５内の並び替え回路３１４において１ラインの画像データとなるように並び替えられて後段に転送される。
【００２０】
［原稿がＡ４サイズの場合の処理の例］
図５は、原稿台の原稿サイズ検出結果により、原稿サイズが原稿突き当て側に該当する第１番目のＣＣＤチップ３０１から第３番目のＣＣＤチップ３０３のセンサ範囲であった場合を示す図である。図５に示す場合には、原稿サイズが例えばＡ４Ｒであると検出されたとする。その場合には、例えばＣＰＵ３１５が図６に示すテーブルを参照して、用いるチャンネル数を３であると認識する。そして、アナログプロセッサＩＣ３０６のチャンネル設定は３チャンネルモードに設定される。このときアナログスイッチ部３０７は３個なので、アナログスイッチ部３０７は単一（１本）の信号線に対応すれば良い。その場合に、図３においてチャンネル数が３に対応付けられる列が参照され、入力チャンネル０、２、４が特定（ＯＮで図示）される。図５の太線は、入力チャンネル０、２、４が特定されたことを示している。このように、本実施形態においては、原稿サイズを基に、使用する入力チャンネル、即ち、使用するＣＣＤを特定して動作させるアナログプロセッサ３０６のアナログスイッチ部３０７〜３０９のチャンネル数を設定することで、画像領域外のＣＣＤからのアナログ信号がアナログプロセッサ３０６のＡＤ変換部３１１〜３１３に出力されないので画像処理の効率化を図ることができる。
【００２１】
アナログプロセッサＩＣ３０６においては、入力チャンネルは、チャンネル０、２、４の順序でＡＤ変換部３１１、３１２、３１３によりＡＤ変換処理され、ＣＣＤ１、ＣＣＤ２、ＣＣＤ３の順序でデジタル画像データを出力する。つまり、画像領域に係るＣＣＤのアナログ信号のみＡＤ変換処理されるのでデジタル信号データの転送の効率化を図ることができる。出力されたデジタル画像データは、ＡＳＩＣ３０５内の並び替え回路３１４において１ラインの画像データとなるように並び替えられて後段に出力される。
【００２２】
以上のように、本実施形態においては、アナログプロセッサＩＣ３０６において未使用のチャンネルについては処理されないので、画像読取処理を高速化することができる。また、アナログスイッチ部が単一の信号線に対応することを優先するが、一つのアナログスイッチ部が複数（２本）の信号線に対応する場合は、他のアナログスイッチ部も複数（２本）の信号線に対応し、アナログスイッチ部を一律同方向で切換えるので簡素化・低コスト化を達成できる。
【００２３】
図７は、本実施形態における画像読取処理における信号処理の手順を示すフローチャートである。図７に示す各処理は、例えば、画像読取装置１のＣＰＵ３１５により実行される。まず、ＣＰＵ３１５は、原稿台上の原稿サイズをセンサ３１６を用いて検出する（Ｓ７０１）。ここで、ＣＰＵ３１５は、合わせて画像読取装置１の操作パネルでユーザにより設定された画像倍率を確認する。ＣＰＵ３１５は、原稿サイズの検出結果により、図６に従い、ＡＳＩＣ３０５の動作仕様を設定し、ＡＳＩＣ３０５からアナログプロセッサＩＣ３０６に駆動信号が出力されてチャンネル使用数が設定される（Ｓ７０２）。その後、ＣＰＵ３１５は、原稿を読み取るよう各部を制御し（Ｓ７０３）、原稿読み取り動作が終了したかを確認する（Ｓ７０４）。Ｓ７０４において原稿読み取りの終了が確認されると、Ｓ７０２において設定されたＡＳＩＣ３０５の動作仕様を最大の原稿全領域を読み取るチャンネル数に戻す（Ｓ７０５）。
【００２４】
［実施形態２］
次に、原稿をセットする際のセット基準位置がコンタクトイメージセンサ３の中央に設定されている場合を説明する。本実施形態においては、図８に示すように、ＣＣＤチップ３０１は、アナログスイッチ部３０７及び３０９にアナログ画像データを出力する。また、ＣＣＤチップ３０２は、アナログスイッチ部３０７にアナログ画像データを出力する。また、ＣＣＤチップ３０３は、アナログスイッチ部３０８にアナログ画像データを出力する。また、ＣＣＤチップ３０４は、アナログスイッチ部３０８及び３０９にアナログ画像データを出力する。
【００２５】
［原稿がＡ３サイズの場合の処理の例］
図８は、本実施形態における画像データの流れを説明するための図である。図８は、原稿台上の原稿サイズ検出結果により、原稿サイズが第１番目のＣＣＤチップ３０１から第４番目のＣＣＤチップ３０４のセンサ範囲であった場合を示す図である。図８に示す場合には、原稿サイズが例えばＡ３であると検出されたとする。その場合には、例えばＣＰＵ３１５が図６に示すテーブルを参照して、用いるチャンネル数を４であると認識する。そして、アナログプロセッサＩＣ３０６のチャンネル設定は４チャンネルモードに設定される。その場合に、図３においてチャンネル数が４に対応付けられる列が参照され、入力チャンネル０〜３が特定（ＯＮで図示）される。図８の太線は、入力チャンネル０〜３が特定されたことを示している。アナログプロセッサＩＣ３０６においては、入力チャンネルは、チャンネル０、２、１、３の順序でＡＤ変換部３１１及び３１２によりＡＤ変換処理される。つまり、アナログプロセッサＩＣ３０６は、ＣＣＤ２、３、１、４の順序でデジタル画像データを出力する。出力されたデジタル画像データは、ＡＳＩＣ３０５内の並び替え回路３１４において１ラインの画像データとなるように並び替えられて後段に出力される。
【００２６】
［原稿がはがきサイズの場合の処理の例］
図９は、原稿台の原稿サイズ検出結果により、原稿サイズがＣＣＤチップ３０２及びＣＣＤチップ３０３のセンサ範囲であった場合を示す図である。図９に示す場合には、原稿サイズが例えばはがきサイズであると検出されたとする。その場合には、例えばＣＰＵ３１５が図６に示すテーブルを参照して、用いるチャンネル数を２であると認識する。そして、アナログプロセッサＩＣ３０６のチャンネル設定は２チャンネルモードに設定される。その場合に、図３においてチャンネル数が２に対応付けられる列が参照され、入力チャンネル０、２が特定（ＯＮで図示）される。図９の太線は、入力チャンネル０、２が特定されたことを示している。
【００２７】
アナログプロセッサＩＣ３０６においては、入力チャンネルは、チャンネル０、２の順序でＡＤ変換部３１１、３１２によりＡＤ変換処理される。つまり、アナログプロセッサＩＣ３０６は、ＣＣＤ２、ＣＣＤ３の順序でデジタル画像データを後段の並び替え回路３１４に転送する。転送されたデジタル画像データは、ＡＳＩＣ３０５内の並び替え回路３１４において１ラインの画像データとなるように並び替えられて後段に出力される。
【００２８】
本実施形態においても、アナログプロセッサＩＣ３０６において未使用のチャンネルについては処理されていないので、画像読取処理を高速化することができる。
【００２９】
［アナログスイッチ部とＡＤ変換部の機能］
アナログスイッチ部およびＡＤ変換部の機能について図１０を参照しながら説明する。図１０に示すように、コンタクトイメージセンサ３は、ＣＣＤチップ１００１〜１００６から６出力されるように構成されるとする。また、図１０に示すように、ＣＣＤチップ１００１とＣＣＤチップ１００４から出力されるアナログ画像データ（Ａ１及びＡ２）は、アナログスイッチ部１００７に入力される。また、ＣＣＤチップ１００２とＣＣＤチップ１００５から出力されるアナログ画像データ（Ｂ１及びＢ２）は、アナログスイッチ部１００８に入力される。また、ＣＣＤチップ１００３とＣＣＤチップ１００６から出力されるアナログ画像データ（Ｃ１及びＣ２）は、アナログスイッチ部１００９に入力される。
【００３０】
ＡＤ変換部１０１０〜１０１２のそれぞれでアナログ画像データをデジタル化し、後段のＡＳＩＣ内の並び替え回路３１４にデジタル画像データ（デジタル信号）を転送する。ＡＤ変換部１０１０〜１０１２は、それぞれに接続されているアナログスイッチ部１００９から出力されるアナログ画像データを用いるか否かを選択することができる。
【００３１】
ＣＰＵ３１５は、各アナログスイッチ部例えばアナログスイッチ部１００７がＣＣＤチップ１００１又は１００４からの出力を選択可能にするか（可変モード）、若しくは、いずれの出力のみを入力するように固定するか（固定モード）を設定することができる。実施形態１及び２で説明したように、アナログプロセッサＩＣ３０６には複数のアナログスイッチ部が構成される。
【００３２】
アナログスイッチ部は、例えば図１０に示す構成において、６チャンネルモードの場合に、同時にサンプリングした２つのチャンネル（例えばＡ１及びＡ２）の信号を不図示の内部の選択スイッチを可変にし、時分割で１つの信号を後段のＡＤ変換部に出力する。また、１チャンネルモード、２チャンネルモード、３チャンネルモードの場合には、内部の選択スイッチを固定して入力された信号をそのまま後段のＡＤ変換部に出力する。上記の選択スイッチについての可変／固定の切り換えは、例えばＣＰＵ３１５からの選択制御信号によって切り替えることができる。
【００３３】
一般的には、簡易な構成で上記の切り替え制御を容易に行うことが求められている。例えば、３つのアナログスイッチ部をそれぞれ制御する場合には、３本の選択制御信号線とそれぞれを制御するためにＩ／Ｆ制御部３１０に３つのコントロールレジスタを必要としてしまう。しかしながら、上述のように、複数のアナログスイッチ部を一律に同方向に切り替える方式であるならば、１本の選択制御信号線と、１つのコントロールレジスタとによって構成を簡易にすることができる。その結果、アナログプロセッサＩＣ３０６を簡素化し、低コスト化することができる。
【００３４】
図１０に示すような構成においてＡ３サイズの原稿を読み取る例を説明する。まず、ＣＰＵ３１５は、原稿台上の原稿サイズをセンサ３１６を用いて検出する。ここで、原稿サイズがＡ３と検出される。本実施形態においては、原稿をセットする際のセット基準位置がコンタクトイメージセンサ３の一端とする。ＣＰＵ３１５は、その検出結果（６チャンネルモード）に基づき、アナログスイッチ部１００７〜１００９を全て「可変」に設定する。その後、ＣＰＵ３１５は、ＡＤ変換部１０１０〜１０１２（本発明にいう特定手段の一例である）を全て「有効」に設定する。ここで、ＡＤ変換部を「有効」に設定すると、アナログスイッチ部から入力した画像データをＡＤ変換部から出力する。一方、ＡＤ変換部を「無効」に設定すると、アナログスイッチ部から入力した画像データをＡＤ変換部から出力しない。
【００３５】
つまり、Ａ３サイズの原稿を読み取る場合（６チャンネルモード）には、全てのアナログスイッチ部が「可変」に設定され、全てのＡＤ変換部が「有効」に設定される。そのような設定の後、アナログスイッチ部の選択機能によりＡ１、Ｂ１、Ｃ１、Ａ２、Ｂ２、Ｃ２の順で、後段の並び替え回路３１４に画像データが転送される。
【００３６】
次に、Ａ５サイズの原稿を読み取る例を説明する。まず、ＣＰＵ３１５は、原稿台上の原稿サイズをセンサ３１６を用いて検出する。ここで、原稿サイズがＡ５と検出される。ＣＰＵ３１５は、その検出結果（３チャンネルモード）に基づき、アナログスイッチ部１００７〜１００９を全て「固定」に設定する。つまり、ＣＰＵ３１５は、アナログスイッチ部１００７をＣＣＤチップ１００１からの出力（Ａ１）を取得するように固定し、アナログスイッチ部１００８をＣＣＤチップ１００２からの出力（Ｂ１）を取得するように固定し、アナログスイッチ部１００９をＣＣＤチップ１００３からの出力（Ｃ１）を取得するように固定する。その後、ＣＰＵ３１５は、ＡＤ変換部１０１０〜１０１２を全て「有効」に設定する。
【００３７】
つまり、Ａ５サイズの原稿を読み取る場合（３チャンネルモードでは、全てのアナログスイッチ部が「固定」に設定され、全てのＡＤ変換部が「有効」に設定される。そのような設定の後、Ａ１、Ｂ１、Ｃ１の順で、後段の並び替え回路３１４に画像データが転送される。図１０に示すような構成によって、例えば、Ａ５サイズの場合に、原稿領域外のＣＣＤチップ１００４からの画像データを後段の並び替え回路３１４に転送することを防ぐことができる。
【００３８】
次に、はがきサイズの原稿を読み取る例を説明する。まず、ＣＰＵ３１５は、原稿台上の原稿サイズをセンサ３１６を用いて検出する。ここで、原稿サイズがはがきサイズと検出される。ＣＰＵ３１５は、その検出結果（２チャンネルモード）に基づき、アナログスイッチ部１００７〜１００９を全て「固定」に設定する。つまり、ＣＰＵ３１５は、アナログスイッチ部１００７をＣＣＤチップ１００１からの出力（Ａ１）を取得するように固定し、アナログスイッチ部１００８をＣＣＤチップ１００２からの出力（Ｂ１）を取得するように固定し、アナログスイッチ部１００９をＣＣＤチップ１００３からの出力（Ｃ１）を取得するように固定する。その後、ＣＰＵ３１５は、ＡＤ変換部１０１０及び１０１１を「有効」に設定し、ＡＤ変換部１０１２を「無効」に設定する。
【００３９】
つまり、はがきサイズの原稿を読み取る場合には、全てのアナログスイッチ部が「固定」に設定される。そして、ＡＤ変換部１０１０及び１０１１が「有効」に設定され、ＡＤ変換部１０１２が「無効」に設定される。そのような設定の後、Ａ１、Ｂ１の順で、後段の並び替え回路３１４に画像データが転送される。図１０に示すような構成によって、例えば、はがきサイズの場合に、原稿領域外のＣＣＤチップ１００３からの画像データを後段の並び替え回路３１４に転送することを防ぐことができる。
【００４０】
図１０に示すようなアナログスイッチ部及びＡＤ変換部の機能は、実施形態１及び２で説明したような入力チャンネルを特定する具体的な構成として用いることができる。以下、アナログスイッチ部３０７〜３０９は、４チャンネルモードの場合に可変に設定され、１〜３チャンネルモードの場合に固定に設定されるとする。例えば、実施形態１の図４（４チャンネルモード）において、ＣＰＵ３１５は、全てのアナログスイッチ部３０７〜３０９を可変に設定し、ＡＤ変換部３１１及び３１２を有効に設定し、ＡＤ変換部３１３を無効に設定する。その結果、入力チャンネル０〜３を特定し、図４の太線に示すように、特定されないチャンネルの画像データを後段の並び替え回路３１４に転送することを防ぐことができる。
【００４１】
また、実施形態１の図５（３チャンネルモード）において、ＣＰＵ３１５は、全てのアナログスイッチ部３０７〜３０９を入力チャンネル０、２、４を選択するように固定に設定し、ＡＤ変換部３１１〜３１３を有効に設定する。その結果、入力チャンネル０、２、４を特定し、図５の太線に示すように、特定されないチャンネルの画像データを後段の並び替え回路３１４に転送することを防ぐことができる。
【００４２】
また、実施形態２の図８（４チャンネルモード）において、ＣＰＵ３１５は、全てのアナログスイッチ部３０７〜３０９を可変に設定し、ＡＤ変換部３１１及び３１２を有効に設定し、ＡＤ変換部３１３を無効に設定する。その結果、入力チャンネル０〜３を特定し、図８の太線に示すように、特定されないチャンネルの画像データを後段の並び替え回路３１４に転送することを防ぐことができる。
【００４３】
また、実施形態２の図９（２チャンネルモード）において、ＣＰＵ３１５は、全てのアナログスイッチ部３０７〜３０９を入力チャンネル０、２を選択するように固定に設定し、ＡＤ変換部３１１及び３１２を有効に設定し、ＡＤ変換部３１３を無効に設定する。その結果、入力チャンネル０、２を特定し、図９の太線に示すように、特定されないチャンネルの画像データを後段の並び替え回路３１４に転送することを防ぐことができる。
【００４４】
以上の実施形態１及び２において、原稿をセットする際のセット基準位置がコンタクトイメージセンサ３長手方向（主走査方向）の一端側若しくは中央側に設定されている場合を説明した。そのような基準位置は、例えば、原稿給送部が複数の原稿トレイ１０を有する場合に、ユーザがいずれの原稿トレイ１０に原稿を設置したかによって決定されても良い。例えば、ＣＰＵ３１５が原稿を順次搬送させつつ読取りを行ういわゆる流し読みを行うための原稿トレイ１０に原稿が設置されたことを検出すると、そのトレイ検出結果を以て実施形態２のように原稿のセット基準位置はコンタクトイメージセンサ３の中央とされる。実施形態１及び２において、原稿サイズ情報は原稿サイズ検出センサの結果をもとに判断しているが、ユーザが操作部から指定するサイズ情報をもとに判断しても良い。
【００４５】
実施形態１及び２においては、原稿給送部９、原稿読取部２を備えた画像読取装置１を説明しているが、原稿給送部９または原稿読取部２１のいずれか一方を備えた画像読取装置であっても良い。また、実施形態１及び２においては、コンタクトイメージセンサ方式の画像読取装置を説明したが、光学系にミラーを設けたＣＣＤ方式の画像読取装置であっても良い。
【符号の説明】
【００４６】
１  画像読取装置
２  原稿読取部
３  コンタクトイメージセンサ
４  原稿台ガラス
５  読み取りガラス
６  白色板
７  シャフト
８  レール
９  原稿給送部
１０  原稿トレイ
１１  原稿搬送部
１２  排紙トレイ
３０１、３０２、３０３、３０４、１００１、１００２、１００３、１００４、１００５、１００６  ＣＣＤチップ
３０５  ＡＳＩＣ
３０６  アナログプロセッサＩＣ
３０７、３０８、３０９、１００７、１００８、１００９  アナログスイッチ部
３１０  Ｉ／Ｆ制御部
３１１、３１２、３１３、１０１０、１０１１、１０１２  ＡＤ変換部
３１４  並び替え回路
３１５  ＣＰＵ
３１６  センサ
３１７  ＲＡＭ
【図１】
2014160983.tif 000003
【図２】
2014160983.tif 000004
【図３】
2014160983.tif 000005
【図４】
2014160983.tif 000006
【図５】
2014160983.tif 000007
【図６】
2014160983.tif 000008
【図７】
2014160983.tif 000009
【図８】
2014160983.tif 000010
【図９】
2014160983.tif 000011
【図１０】
2014160983.tif 000012